(57)【要約】【課題】  クランパとターンテーブルによってクランプされたディスクをより確実に圧接して、耐振性に優れたクランパ機構を有する記録及び／又は再生装置を備えた電子機器を提供する。【解決手段】  支持部４１に保持枠４６とねじ孔４４を備え、板ばね５１の一端を係止してもう一端は螺合して前記板ばね５１の凹部５１Ａとクランパ３２の膨出部３２Ｂとを弾接させたことにより、クランパ３２とターンテーブル１２によってクランプされるディスクＤが板ばね５１によって確実に付勢されることにより耐振性を向上させたクランプ機構を提供することが可能となる。【選択図】  図３
2006338740.tif 000002
【特許請求の範囲】
【請求項１】
ディスクを搭載するトレイと、このトレイをスライド自在に支持するフレームと、このフレームに設けた前記ディスクを回転駆動するターンテーブルと、このターンテーブルと対向してフレームに上下動自在に設けたクランパとを備え、前記ターンテーブルとクランパとで前記ディスクを挟持して該ディスクへの情報の書き込み又は前記ディスクの情報の読み込みを行う記録及び／又は再生装置であって、前記クランパを前記ターンテーブル側へと付勢する弾性体を設け、この弾性体の少なくとも一端側を前記フレームに固定して該フレームに片持状に支持するとともに、前記フレームには前記弾性体の浮き上がりを抑える係止部を設けたことを特徴とする記録及び／又は再生装置。
【請求項２】
前記弾性体が板ばねによって構成され、その一端を固定手段により前記フレームに固定するとともに、前記フレームには前記係止部として板ばねの他端を挿入して板ばねの浮き上がりを抑える保持枠と、板ばねの他端を支持するストッパとを設けたことを特徴とする請求項１記載の記録及び／又は再生装置。
【請求項３】
前記固定手段がねじによって構成され、前記フレームには前記ねじのねじ孔を備えたことを特徴とする請求項１又は２に記載の記録及び／又は再生装置。
【請求項４】
前記固定手段が前記フレームに形成する突部と位置規制リブによって構成され、この突部と位置規制リブとの間に形成される溝部に前記板ばねの一端を挿入するとともに、前記板ばねには前記溝部からの抜け出しを規制する係止爪を形成したことを特徴とする請求項１又は２に記載の記録及び／又は再生装置。
【請求項５】
前記フレームに前記クランパを上下動自在に貫挿する開口部を形成するとともに、前記クランパには前記開口部より径大なフランジ部とフック部とを形成し、このフランジ部とフック部で前記開口部に前記クランパを上下動自在に保持するとともに、クランパの中央部に上方に突出する膨出部を形成し、前記板ばねには前記膨出部を押圧する凹部を折曲形成したことを特徴とする請求項２〜４の何れか１項に記載の記録及び／又は再生装置。
【請求項６】
ディスクを搭載するトレイと、このトレイをスライド自在に支持するフレームと、このフレームに設けた前記ディスクを回転駆動するターンテーブルと、このターンテーブルと対向してフレームに上下動自在に設けたクランパとを備え、前記ターンテーブルとクランパとで前記ディスクを挟持して該ディスクへの情報の書き込み又は前記ディスクの情報の読み込みを行う記録及び／又は再生装置であって、前記クランパを前記ターンテーブル側へと付勢する弾性体を設け、この弾性体の少なくとも一端側を前記フレームに固定して該フレームに片持状に支持するとともに、前記フレームには前記弾性体の浮き上がりを抑える係止部を設けたことを特徴とする記録及び／又は再生装置を備えたことを特徴とする電子機器。
【発明の詳細な説明】
【技術分野】
【０００１】
本発明は、ディスク状記録媒体（以下、単にディスクとする）のデータを記録又は再生する記録再生装置を備えた電子機器に係り、特にディスクをクランパとターンテーブルによりクランプする記録及び／又は再生装置及び記録及び／又は再生装置を備えた電子機器に関する。
【背景技術】
【０００２】
記録再生装置を備えた電子機器においてディスクを記録又は再生する際、ディスクを装置内に装填すると、ターンテーブル上にディスクが載置され、前記ターンテーブルの上昇により該ターンテーブルと対向した位置に備えられているクランパ方向に押し上げられる。これによりディスクの中心部がターンテーブルとクランパでクランプされ、前記ターンテーブルに備えたスピンドルモータによってディスクを回転させて該ディスクへの情報の書き込み又は前記ディスクの情報の読み込みが行われるが、この際、ディスクのクランプが不安定であると、前記ディスクの揺動により再生時の音飛びが起こったり、ディスクへの情報の書き込み不良が発生するなどの不具合を生じることがあり、これらを防ぐために耐振性を向上させたディスククランプ機構が求められている。
【０００３】
そこで、このような課題に対処するために、従来からターンテーブルの表面に磁性体を備え、クランパには磁石を収納して、ターンテーブルとクランパとを磁気的に吸着させてディスクをクランプする構造のものや、或いはばねなどの弾性体によってターンテーブルとクランパとでディスクをクランプする構造が特許文献１、特許文献２などで知られている。
【０００４】
特許文献１によって開示されているクランプ機構は、クランパの上端部に一端をクランプアームに固定した板ばねを弾接させて、下方向に常に付勢力をつけ、クランパを介してディスクの中心部をクランパとターンテーブルによりクランプしている。
【０００５】
また、特許文献２によって開示されているクランプ機構は、クランパの上端に両端をクランパホルダーに固定した板ばねを弾接させたことにより、下方向に常に付勢をおこない、ディスクの中心部をクランパとターンテーブルによってクランプしている。
【０００６】
【特許文献１】特開２００４−１３９３９号公報
【特許文献２】特開平２−１１８９５３号公報
【発明の開示】
【発明が解決しようとする課題】
【０００７】
しかし、上述したターンテーブルやクランパに磁性体や磁石を備えて前記ターンテーブルや前記クランパを磁気的に吸着させてディスクをクランプする構造では、ディスクの揺動が増すと、吸着が不可能となってクランプが解除され、音飛びやディスクが脱落してしまう恐れがあり、また前記磁石がクランパから脱落するのを防ぐためのカバー部材などが必要不可欠であり、部品点数や製造工程も増し、また構成部材の中でも比較的高価である磁石も用いるので機器のコストを削減することが難しかった。
【０００８】
また、上述した特許文献１における記録及び／又は再生装置を備えた電子機器においては、クランプアームに一端を固定した板ばねを押圧させるが、板ばねの片方しか固定していないため前記板ばねが変形し易く、常に板ばねによってクランパを均一的に押圧することが容易ではなく、また製造工程における不良率も高かった。
【０００９】
一方、特許文献２における記録及び／又は再生装置を備えた電子機器においては、板ばねの両端をクランパホルダーにビス等で固定するので、クランパとターンテーブルとでディスクをクランプした際、板ばねによってディスクに強く押し付けられターンテーブルを駆動するスピンドルモータに負荷がかかり易く、板ばねによるばね圧の設定が面倒であった。
【００１０】
本発明は、上記背景技術を鑑みてなされたものであり、弾性部材によってクランパを介して常に適正な押圧力でディスクをクランプすることができるとともに、低コスト化しディスクを確実かつ安定的にクランプすることができる記録及び／又は再生装置及び記録及び／又は再生装置を備えた電子機器を提供することをその目的とする。
【課題を解決するための手段】
【００１１】
請求項１に係る記録及び／又は再生装置は、ディスクを搭載するトレイと、このトレイをスライド自在に支持するフレームと、このフレームに設けた前記ディスクを回転駆動するターンテーブルと、このターンテーブルと対向してフレームに上下動自在に設けたクランパとを備え、前記ターンテーブルとクランパとで前記ディスクを挟持して該ディスクへの情報の書き込み又は前記ディスクの情報の読み込みを行う記録及び／又は再生装置であって、前記クランパを前記ターンテーブル側へと付勢する弾性体を設け、この弾性体の少なくとも一端側を前記フレームに固定して該フレームに片持状に支持するとともに、前記フレームには前記弾性体の浮き上がりを抑える係止部を設けたことを特徴とする。
【００１２】
請求項１の構成によれば、前記記録及び／又は再生装置において、前記ターンテーブルと前記クランパで前記ディスクを挟持する際に、フレームに弾性体の少なくとも一端を固定して、もう一端には前記弾性体の浮き上がりを抑えるための係止部を設けて、前記弾性体をフレームに固定してクランパに付勢する構成としたので、前記ターンテーブルと前記クランパによりディスクを挟持する際に常にクランパに適度な荷重をかけることができる。
【００１３】
請求項２に係る請求項１記載の記録及び／又は再生装置は、前記弾性体が板ばねによって構成され、その一端を固定手段により前記フレームに固定するとともに、前記フレームには前記係止部として板ばねの他端を挿入して板ばねの浮き上がりを抑える保持枠と、板ばねの他端を支持するストッパとを設けたことを特徴とする。
【００１４】
請求項２の構成によれば、前記フレームに固定する弾性体は板ばねであって、前記板ばねの一端を固定手段によりフレームに固定して、もう一端は保持枠に挿通して固定するので、前記板ばねに弾接するクランパに対して確実に付勢力を与えた状態でディスクをターンテーブルと共に挟持することができ、ディスクの揺動により起こる板ばねの動きを規制することができ、板ばねとフレームに起こる接触音も軽減することができる。
【００１５】
請求項３に係る請求項１又は２に記載の記録及び／又は再生装置は、前記固定手段がねじによって構成され、前記フレームには前記ねじのねじ孔を備えたことを特徴とする。
【００１６】
請求項３の構成によれば、前記固定手段はねじであり、前記フレーム及び板ばねにねじ孔を備えたので、位置決めをする必要がなく確実に前記板ばねの一端を固定することができる。
【００１７】
請求項４に係る請求項１又は２に記載の記録及び／又は再生装置は、前記固定手段が前記フレームに形成する突部と位置規制リブによって構成され、この突部と位置規制リブとの間に形成される溝部に前記板ばねの一端を挿入するとともに、前記板ばねには前記溝部からの抜け出しを規制する係止爪を形成したことを特徴とする。
【００１８】
請求項４の構成によれば、前記固定手段は、フレームに形成される突部と位置規制リブであり、板ばねには係止爪を備えて、該板ばねの一端を保持枠側から挿通して、位置規制リブにより係止される位置まで差し込み、係止爪を突部に掛止するので、板ばねをフレームに容易に組み付けることができる。
【００１９】
請求項５に係る請求項２〜４の何れか１項に記載の記録及び／又は再生装置は、前記フレームに前記クランパを上下動自在に貫挿する開口部を形成するとともに、前記クランパには前記開口部より径大なフランジ部とフック部とを形成し、このフランジ部とフック部で前記開口部に前記クランパを上下動自在に保持するとともに、クランパの中央部に上方に突出する膨出部を形成し、前記板ばねには前記膨出部を押圧する凹部を折曲形成したことを特徴とする。
【００２０】
請求項５の構成によれば、板ばねに付勢されるクランパは、前記フレームに形成された開口部にフック部で上下動自在に保持され、フランジ部をディスクに弾接させて、さらに膨出部を形成して、クランパ全体が膨出部を介して板ばねに形成した凹部に弾性付勢されるので、ディスクをターンテーブルとクランパにより挟持する際に、常に適度な荷重をかけることができる。
【００２１】
請求項６に係る記録及び／又は再生装置を備えた電子機器は、ディスクを搭載するトレイと、このトレイをスライド自在に支持するフレームと、このフレームに設けた前記ディスクを回転駆動するターンテーブルと、このターンテーブルと対向してフレームに上下動自在に設けたクランパとを備え、前記ターンテーブルとクランパとで前記ディスクを挟持して該ディスクへの情報の書き込み又は前記ディスクの情報の読み込みを行う記録及び／又は再生装置であって、前記クランパを前記ターンテーブル側へと付勢する弾性体を設け、この弾性体の少なくとも一端側を前記フレームに固定して該フレームに片持状に支持するとともに、前記フレームには前記弾性体の浮き上がりを抑える係止部を設けたことを特徴とする。
【００２２】
請求項６の構成によれば、前記記録及び／又は再生装置を備えた電子機器は、該記録及び／又は再生装置のフレームに、弾性体を備えクランパに付勢するために固定手段を設けて、前記弾性体の一端は固定して、もう一端には該弾性体の浮き上がりを抑えるための係止部を設けて弾性体を固定するので、該クランパとターンテーブルによって挟持されるディスクをクランパを介して適度な荷重をかけて挟持することができる。
【発明の効果】
【００２３】
請求項１記載の発明によれば、記録及び／又は再生装置は、ディスクを搭載するトレイと、このトレイをスライド自在に支持するフレームと、このフレームに設けた前記ディスクを回転駆動するターンテーブルと、このターンテーブルと対向してフレームに上下動自在に設けたクランパとを備え、前記ターンテーブルとクランパとで前記ディスクを挟持して該ディスクへの情報の書き込み又は前記ディスクの情報の読み込みを行う記録及び／又は再生装置であって、前記クランパを前記ターンテーブル側へと付勢する弾性体を設け、この弾性体の少なくとも一端側を前記フレームに固定して該フレームに片持状に支持するとともに、前記フレームには前記弾性体の浮き上がりを抑える係止部を設けたので、前記ターンテーブルと前記クランパによりディスクを挟持する際に常にクランパに適度な荷重をかけた状態でディスクを回転駆動することが可能となり、耐振性を向上することができ、また回転時にクランパが上下動する際の板ばねの動きを、規制することもできるので、板ばねとフレームに起こる接触音も軽減することができ品位の向上を図ることもできる。
【００２４】
請求項２記載の発明によれば、請求項１記載の記録及び／又は再生装置は、前記弾性体が板ばねによって構成され、その一端を固定手段により前記フレームに固定するとともに、前記フレームには前記係止部として板ばねの他端を挿入して板ばねの浮き上がりを抑える保持枠と、板ばねの他端を支持するストッパとを設けて固定するので、板ばねに弾接するクランパに確実に付勢力を与えた状態でディスクをターンテーブルと共に挟持することができ、ディスクの揺動によって起こる板ばねの動きを規制することができ、板ばねとフレームに起こる接触音も軽減することができる。
【００２５】
請求項３の発明によれば、請求項１又は２に記載の記録及び／又は再生装置は、前記固定手段がねじによって構成され、前記フレームには前記ねじのねじ孔を備えたので、位置決めをする必要がなく確実に前記板ばねの一端を容易に固定することができ、作業工程の簡略化を図ることができる。
【００２６】
請求項４の発明によれば、請求項１、請求項２記載の記録及び／又は再生装置は、前記固定手段が前記フレームに形成する突部と位置規制リブによって構成され、この突部と位置規制リブとの間に形成される溝部に前記板ばねの一端を挿入するとともに、前記板ばねには前記溝部からの抜け出しを規制する係止爪を形成して、板ばねの一端を保持枠側から挿通して、位置規制リブにより係止される位置まで差し込むことで前記係止爪が突部に掛止することから、前記板ばねをフレームに容易に組み付けることができるので作業効率をあげることができ、また、前記板ばねをフレームに固定する際に、別部材を用いる必要が無いので部品コストの削減も図ることができる。
【００２７】
請求項５の発明によれば、請求項２〜４の何れか１項に記載の記録及び／又は再生装置において、前記フレームに前記クランパを上下動自在に貫挿する開口部を形成するとともに、前記クランパには前記開口部より径大なフランジ部とフック部とを形成し、このフランジ部とフック部で前記開口部に前記クランパを上下動自在に保持するとともに、クランパの中央部に上方に突出する膨出部を形成し、前記板ばねには前記膨出部を押圧する凹部を折曲形成したので、確実に膨出部を介してクランパを付勢することができ、ディスクをターンテーブルとクランパにより挟持する際に、常に適度な荷重をかけることができるので耐振性能を向上することができる。
【００２８】
請求項６の発明によれば、記録及び／又は再生装置を備えた電子機器において、ディスクを搭載するトレイと、このトレイをスライド自在に支持するフレームと、このフレームに設けた前記ディスクを回転駆動するターンテーブルと、このターンテーブルと対向してフレームに上下動自在に設けたクランパとを備え、前記ターンテーブルとクランパとで前記ディスクを挟持して該ディスクへの情報の書き込み又は前記ディスクの情報の読み込みを行う記録及び／又は再生装置であって、前記クランパを前記ターンテーブル側へと付勢する弾性体を設け、この弾性体の少なくとも一端側を前記フレームに固定して該フレームに片持状に支持するとともに、前記フレームには前記弾性体の浮き上がりを抑える係止部を設けたので、クランパとターンテーブルによって挟持されるディスクをクランパを介して適度な荷重をかけて挟持することができ耐振性能及び品位の向上を図ることができる。
【発明を実施するための最良の形態】
【００２９】
以下、本発明を実施するための最良の形態としての実施例１を以下の図１〜図６を参照しながら説明する。なお、本実施例においては、記録及び／又は再生装置を備えた電子機器１としてＤＶＤプレーヤー内蔵テレビジョン受像機を例に挙げ説明しているが、本発明はその発明の趣旨に反しない範囲で、実施例において説明した以外の構成のものに対しても容易に適用可能なことは説明を要するまでもない。
【実施例１】
【００３０】
図１は本発明に係る電子機器１を示す斜視図であり、電子機器１はほぼ箱型の樹脂製のキャビネット２から成り、このキャビネット２の正面側中央には、映像を表示するための表示部３を備えている。またキャビネット２の正面側には他の機器と接続するためのジャック４や、ディスクＤをトレイ２１に載置して搬出入するための搬出入口５が形成され、トレイ２１は記録及び／又は再生装置（以下、単に記録再生装置と称す）１０の内部に配置されているローディング機構（不図示）によって進退自在に構成されている。
【００３１】
図２は電子機器１内部の構造を示す斜視図であり、電子機器１の構成部品を組み込んだ金属製のシャーシ６には回路基板７が配設され、この回路基板７上にはチューナ等を含む電子部品８やジャック４が実装されるとともに記録再生装置１０が組み付けられている。
【００３２】
次に図３〜図６により記録再生装置１０及び板ばね５１の取り付け構造の詳細について説明する。記録再生装置１０は樹脂製のフレーム１１を備え、このフレーム１１にはディスクＤを載置するためのターンテーブル１２やディスクＤへの情報の書き込み又はディスクＤの情報の読み込みを行う光ピックアップ１３が備えられている。また、フレーム１１にはローディング機構によってスライド自在に構成されたトレイ２１が組み付けられており、このトレイ２１には、前記光ピックアップ１３によってディスクＤへの情報の書き込み又はディスクＤの情報の読み込みを行うための孔部２２が設けられている。また、フレーム１１に形成された帯状の支持部４１にはターンテーブル１２と対向する位置に開口部４２が形成され、この開口部４２にクランパ３２が貫挿されている。クランパ３２の下部周縁には開口部４２より径大なフランジ部３１が形成されるとともに、クランパ３２の外周には溝３２Ａによって径方向に弾性変形する一対のフック部３３が形成され、このフック部３３を開口部４２の上部周縁に形成する段差凹部４３に引っ掛けることによって、クランパ３２を開口部４２に回動かつ上下動自在に組み付けている。このクランパ３２は樹脂による一体成形品であり、中心部には半球状の膨出部３２Ｂを形成し、この膨出部３２Ｂに弾性体たる板ばね５１を押圧させてクランパ３２の浮き上がりを規制している。板ばね５１は薄板からなる帯板状であって、ほぼ中心部には前記膨出部３２Ｂを押圧するための逆台形状の凹部５１Ａが折曲形成され、前記板ばね５１の一端には略L字状からなる折曲部５３が形成されている。この板ばね５１を固定するフレーム１１の支持部４１には固定手段たるねじ５４を固定するためのねじ孔４４と板ばね５１の一端の浮き上がりを抑える係止部として板ばね５１の他端を支持するストッパ４５と、板ばね５１の他端を挿入する略コ字状の保持枠４６が形成されている。板ばね５１を支持部４１に取り付ける際は、図６（ａ）で示すように、板ばね５１に形成した折曲部５３側を保持枠４６に貫挿させてから、図６（ｂ）に示すように他端側をねじ５４で固定する。これにより、図６（ｃ）のように、板ばね５１の一端は、ねじ孔４４にねじ込んだねじ５４によって支持部４１に片持ち状に支持され、板ばね５１の他端はストッパ４５と保持枠４６によって位置規制される。このようにして支持部４１に固定した板ばね５１の中心部に形成する逆台形状の凹部５１Ａがクランパ３２の膨出部３２Ｂを押圧し、クランパ３２の浮き上がりを防止する構造となっている。なお、板ばね５１の他端は保持枠４６からの抜き出しを規制するための折曲部５３が形成されている。
【００３３】
以上のように構成される本発明は、図４に示すように、ディスクＤを記録又は再生する際において、ディスクＤをトレイ２１に載置して記録再生装置１０内部に搬入し、ディスクＤの下側からフレーム１１に組み込まれたスピンドルモータ１４の回転軸１５と筒状部１６を介して連結されたターンテーブル１２が上方へ移動してディスクＤの中心孔と嵌合し、上側からは支持部４１に設けられた板ばね５１によって下方向に付勢されているクランパ３２がディスクＤと弾接することによって、前記ディスクＤをターンテーブル１２とクランパ３２でクランプする。この時、ディスクＤの中心孔で軸合わせが行われ、スピンドルモータ１４によってディスクＤがターンテーブル１２、クランパ３２と一体的に回転駆動され、フレーム１１に組み込まれた光ピックアップ１３が前記ディスクＤの径方向に移動してデータの記録又は再生が行われる。この時クランパ３２をディスクＤに適度に付勢させるために支持部４１に板ばね５１を設けて、この板ばね５１の中心部に逆台形状に一段低い凹部５１Ａを形成して、クランパ３２に形成した膨出部３２Ｂと常に弾接する構造としているので、常にクランパ３２に適度な荷重をかけることができる。板ばね５１の一端にはねじ孔５２を形成し、もう一端には折曲部５３を形成して、支持部４１の段差凹部４３近傍には、板ばね５１を固定するためのねじ孔４４と、その対向する位置にストッパ４５及び略コ字状に貫通した保持枠４６を形成することにより、板ばね５１の一端はねじ止めしてもう一端は遊着して固定するので、ディスクＤをクランプして回転駆動する際のクランパ３２の上下動によって起こる板ばね５１の動きを規制することができ、この時に起こる板ばね５１と支持部４１の接触音も抑えることができる。
【００３４】
以上のように本実施例においては、板ばね５１の中心部を台形状に一段低く形成して、その一端にねじ孔５２を形成し、もう一端には折曲部５３を形成して、配設する支持部４１にはねじ孔４４とそれに対向する位置に、ねじ孔４４とほぼ同じ高さになるストッパ４５を形成し、その近傍には略コ字状に貫通した保持枠４６を設けて、この保持枠４６に前記板ばね５１の折曲部５３を形成した一端側を挿通した後、前記板ばね５１のねじ孔５２を形成した他端側を支持部４１のねじ孔４４にねじ止めすることで、該板ばね５１の凹部５１Ａと該支持部４１の開口部４２に備えられたクランパ３２に形成された突端部分である膨出部３２Ｂとを確実に弾接させているので、常に適度な荷重を加えた状態でディスクＤをクランプして回転させて記録又は再生を行うことが可能となり耐振性能を向上することができる。また回転時にクランパ３２が上下動する際の板ばね５１の動きを、適度な荷重を加えてクランプすることで規制することもできるので、板ばね５１と支持部４１に起こる接触音も軽減することができ、さらに板ばね５１の折曲部５３は保持枠４６により係止されるので、揺動が増した際にも、板ばね５１が外れてクランプ解除が起こるのを防ぐことができ、品位の向上も図ることができる。また、ターンテーブル１２、クランパ３２に磁性体を備えることなく、板ばね５１の付勢力のみによって、ディスクＤを常に最適の状態でクランプすることが可能となり、比較的高価な部材である磁性体を備える必要が無いので、部品コストの低減も図ることができる。また、板ばね５１を容易に支持部４１に配設することができるので、作業工程の簡略化も図ることができる。
【実施例２】
【００３５】
図７から図１０は本発明の実施例２を示し、前記実施例１と同一機能を有する部分は同一符号を用い、重複する部分は説明を省き、相違点のみ説明する。本実施例においては、板ばね５１の一端を固定する手段としてねじ５４を用いず、板ばね５１の端部近傍の一部を下方向に切り起こし、係止爪５５を形成して、支持部４１に突部４７と位置規制リブ４８からなる第二保持部４９により固定する構造となっている。突部４７はＴ字状にストッパ４５とほぼ同じ高さに形成され、両脇には略Ｌ字状の位置規制リブ４８が保持枠４６とほぼ同じ高さに形成され突部４７と位置規制リブ４８の間には空間が設けられている。
【００３６】
板ばね５１を支持部４１に取り付ける際は、まず折曲部５３を形成した板ばね５１の一端側を支持部４１の保持枠４６に挿通し、次に係止爪５５を形成した前記板ばね５１の他端側を前記支持部４１の突部４７と位置規制リブ４８との間に形成される空間に挿通して、前記係止爪５５が前記突部４７により係止される位置まで差し込むことで、支持部４１に対する板ばね５１の取り付けが完了となる。尚、該板ばね５１の係止爪５５の近傍には貫通孔５６が形成してある。これは、支持部４１に対して板ばね５１の取り付け作業を行う作業者が実際に板ばね５１を取り付ける際の作業性を考慮して設けてあり、特に係止爪５５を形成した板ばね５１の他端側を第二保持部４９に挿通する作業において、前記貫通孔５６に棒状の治具を挿通した状態で前記第二保持部４９の突部４７と位置規制リブ４８との間に形成される空間に該板ばね５１の他端側を挿通し易くするために設けてある。
【００３７】
以上のように構成される本実施例においては、実施例１と同様、ディスクＤはターンテーブル１２とクランパ３２によってクランプされた状態で保持され、通電されるとディスクＤが回転駆動されデータの記録又は再生が行われる。この時クランパ３２をディスクＤに適度に付勢させるために支持部４１に中心部が逆台形状に一段低い凹部５１Ａを形成した板ばね５１を備えて、クランパ３２に形成した膨出部３２Ｂと常に弾接する構造となっている。板ばね５１の一端には係止爪５５を下方向に切り起こすことにより形成して、もう一端には折曲部５３を形成して、支持部４１の段差凹部４３近傍には、板ばね５１を固定するためのＴ字状の突部４７と位置規制リブ４８からなる第二保持部４９を形成して、その対向する位置にストッパ４５及び略コ字状に貫通した保持枠４６を形成して、折曲部５３を形成した板ばね５１の一端側を支持部４１の保持枠４６に挿通させ、係止爪５５を形成した前記板ばね５１の他端側を前記支持部４１の突部４７と位置規制リブ４８との間に形成される空間に挿通させることで、該板ばね５１の一端側は支持部４１の保持枠４６に挿通して固定し、該板ばね５１の他端側は係止爪５５を第二保持部４９にて固定しているので、クランパ３２に適度な荷重をかけることができ、ディスクＤをターンテーブル１２とクランパ３２でクランプして回転駆動する際の前記クランパ３２の上下動によって起こる板ばね５１の動きを規制することができ、この時に起こる板ばね５１と支持部４１の接触音も抑えることができる。
【００３８】
以上のように本実施例においては、板ばね５１の中心部が台形状に一段低い凹部５１Ａを形成して、その一端に係止爪５５、もう一端には折曲部５３を形成して、配設する支持部４１には突部４７と位置規制リブ４８からなる第二保持部４９を形成して対向する位置に、突部４７とほぼ同じ高さにストッパ４５を形成し、その近傍には略コ字状に貫通した保持枠４６を設けて係止するので、開口部４２に備えられたクランパ３２に形成された突端部分である膨出部３２Ｂと確実に弾接することができ、また板ばね５１の一端には折曲部５３を備え保持枠４６に挿通しているので、振動が増した際にも、板ばね５１の位置がずれる等の不具合を生じることなく、常に適度な荷重を加えた状態でディスクＤをクランプして回転させて記録又は再生を行うことができるので耐振性能を向上することができ、またクランパ３２が上下動する際の板ばね５１の動きを規制することもできるので、板ばね５１と支持部４１に起こる接触音も軽減することができ、品位の向上も図ることができる。また、ねじ５４などの締結部材を別途備える必要が無いので、部品コストの低減および製造工程の簡略化も図ることができる。
【００３９】
なお、上記実施例においては、ローディングトレイを有する記録再生装置１０を備えた電子機器１について説明したが、ディスクを直接記録再生装置１０内部に装填するスロットイン方式や、複数のディスクを記録再生装置１０内部に装填可能なチェンジャ方式からなる記録再生装置１０を備えた電子機器１にも、もちろん実施可能である。また、開閉可能な蓋を備えたポータブル形式の記録再生装置１０であり、クランパ３2を蓋の内側に備えたものについても同様に実施可能である。
【図面の簡単な説明】
【００４０】
【図１】本発明の実施例における電子機器を示す斜視図である。
【図２】同上、実施例１における分解斜視図である。
【図３】同上、記録再生装置を示す斜視図である。
【図４】同上、記録再生装置のクランパ部を示す断面図である。
【図５】同上、支持部を示す分解斜視図である。
【図６】同上、支持部への部品の取り付け構造を示す斜視図であり、図６（ａ）は板ばねの一端を支持部への取り付け前の状態を、図６（ｂ）は板ばねの一端を支持部に取り付けると共に他端を支持部に備えるねじ孔にねじによって固定する前の状態を、図６（ｃ）は板ばねの支持部への取り付けが完了した状態をそれぞれ示している。
【図７】同上、実施例２における記録再生装置を示す斜視図である。
【図８】同上、記録再生装置のクランパ部を示す断面図である。
【図９】同上、支持部を示す分解斜視図である。
【図１０】同上、支持部への部品の取り付け構造を示す斜視図である。
【符号の説明】
【００４１】
１  電子機器
１０  記録及び／又は再生装置（記録再生装置）
１１  フレーム
１２  ターンテーブル
２１  トレイ
３１  フランジ部
３２  クランパ
３２Ｂ  膨出部
３３  フック部
４２  開口部
４４  ねじ孔
４５  ストッパ
４６  保持枠
４７  突部
４８  位置規制リブ
５１  板ばね
５１Ａ  凹部
５４  ねじ
５５  係止爪
Ｄ  ディスク
【図１】
2006338740.tif 000003
【図２】
2006338740.tif 000004
【図３】
2006338740.tif 000005
【図４】
2006338740.tif 000006
【図５】
2006338740.tif 000007
【図６】
2006338740.tif 000008
【図７】
2006338740.tif 000009
【図８】
2006338740.tif 000010
【図９】
2006338740.tif 000011
【図１０】
2006338740.tif 000012